(57)【要約】      （修正有）【課題】メモリへ転送するデータ量に応じた速度でデータ転送するようにして、データ転送におけるノイズの発生を抑制或いは防止する。【解決手段】再生装置は、読取手段により記憶媒体からデータを読み取ると、種別判定部が当該データを読み取る記憶媒体の種類を判定し、この判定した記憶媒体の種類に応じて、転送速度切替部が、記憶媒体の種類に対応して予め設定された転送速度をデータ転送部に指示する。データ転送部は、指示された転送速度で読み取られたデータを一時記憶手段２０に転送する。これにより、データが大きく変動することなく転送され、データ転送におけるノイズの発生が抑制或いは防止される。【選択図】図３
2013016221.tif 000002
【特許請求の範囲】
【請求項１】
記憶媒体から読み取られたデータを一時記憶手段へ転送する転送制御装置において、
データを読み取る記憶媒体の種類を判定する判定手段と、
記憶媒体から読み取ったデータを一時記憶手段へ転送するデータ転送手段と、
判定手段が判定した記憶媒体の種類に応じて、データ転送手段によるデータ転送速度を切替えてデータ転送を平準化する転送速度切替手段と、
を備えたことを特徴とする転送制御装置。
【請求項２】
記憶媒体に記憶されたデータを読み取って再生処理を行なう再生装置において、
記憶媒体からデータを読み取る読取手段と、
読取手段がデータを読み取る記憶媒体の種類を判定する判定手段と、
記憶媒体から読み取ったデータを一時記憶手段へ転送するデータ転送手段と、
判定手段が判定した記憶媒体の種類に応じて、記憶媒体の種類に対応して予め設定された転送速度に、データ転送手段によるデータ転送速度を切替える転送速度切替手段と、
を備えたことを特徴とする再生装置。
【請求項３】
請求項２に記載の再生装置において、
前記記憶媒体の種類に対応して予め設定された転送速度は、記憶媒体のデータ記憶容量が小さくなるとデータ転送速度が小さくなるように設定されていることを特徴とする再生装置。
【請求項４】
請求項２又は請求項３に記載の再生装置において、
前記記憶媒体の種類に対応して予め設定された転送速度は、記憶媒体のデータ記憶容量が大きくなるとデータ転送速度が大きくなるように設定されていることを特徴とする再生装置。
【請求項５】
請求項２乃至請求項４のいずれか１項に記載の再生装置において、
読取装置は、記憶媒体の種類に応じて複数設けられていることを特徴とする再生装置。
【請求項６】
請求項２乃至請求項５のいずれか１項に記載の再生装置において、
判定手段は、使用者による操作入力に基づいて、読取手段がデータを読み取る記憶媒体の種類を判定することを特徴とする再生装置。
【請求項７】
請求項２乃至請求項６のいずれか１項に記載の再生装置において、
読取手段は、記憶媒体である光ディスクから光学的にデータを読み取る光ピックアップであり、
判定手段は、光ピックアップを変更することに基づいて、光ディスクの種類を判定することを特徴とする再生装置。
【発明の詳細な説明】
【技術分野】
【０００１】
本発明は、記憶媒体から読み取ったデータを一時記憶手段へ転送する際の制御技術に関し、典型的には、ブルーレイディスク（ＢＤ）、デジタルビデオディスク（ＤＶＤ）、コンパクトディスク（ＣＤ）、メモリカードなどと言った様々な種類の記憶媒体から読み取ったデータを再生処理に際して一時記憶手段へ転送する再生装置に適用される技術に関する。
【背景技術】
【０００２】
記憶媒体に記憶されたデータを読み取って再生処理を行なう再生装置は、音楽や映像を再生する装置として広く用いられている。
例えば、ＤＶＤに記憶された映画等の映像を再生する再生装置、ＣＤに記憶された音楽を再生する再生装置、ＤＶＤやＣＤなどと言った様々な形式の記憶媒体に対応して、これら記憶媒体に記憶された音楽や映画などを再生する再生装置は、広く知られるところである。
【０００３】
このような再生装置では、音楽や映画などと言った大量のデジタルデータを記憶媒体から読み取り、このデジタルデータに復号化を含む再生処理するが、デジタルデータを読み取る読取手段（例えば、光ピックアップ）が高周波駆動されることによるノイズの発生や、高周波信号となるデジタルデータの処理によるノイズの発生に対処する必要がある。
【０００４】
ここに、記憶媒体からのデータ読取におけるノイズに対して、ＤＶＤユニットに前方および下面の一部分と、両側面および後面の一部分にて高周波信号の不要輻射についての磁気シールドを行なうことによって、ＤＶＤユニット内部に収容された光ピックアップの駆動によって発生する高周波信号による不要輻射を遮蔽する光ディスク装置が提案されている（特許文献１）。
【０００５】
また、装置の内部処理におけるノイズに対して、基板をデジタル基板と電源基板に分割し、光ディスクローダの両脇に配置した構成において、デジタル基板の接地パターンの分割を変更し、コネクタに隣接してデジタル基板上にフィルタを配置することにより不要輻射のレベルを大幅に低減したＤＶＤ装置が提案されている（特許文献２）。
【０００６】
また、光ピックアップから出力されるトラッキングエラー信号などの制御信号に高周波成分のノイズが含まれていると、増幅された制御信号を入力するトラッキングサーボ制御部において光ピックアップの位置制御が不安定になってしまうといった課題に対して、光ディスク装置に適用された光ディスク媒体の種別（用途，製造国，製造メーカなど）を判別し、所定の光ディスク媒体の場合は、周波数特性変更回路を作動させ、サーボＩＣが入力する制御信号に対する周波数特性をこの制御信号の高周波成分を減衰するように切換えて、制御信号に含まれる高周波ノイズを減衰する光ディスク装置が提案されている（特許文献３）。
【０００７】
また、ハードウェア規模が増大することなく、複数の種別の記録媒体に対して情報を記録又は再生が可能な情報記録再生装置を提供するため、装着された光ディスクの種別（例えば、ＤＶＤかＢＤ等）を判別し、光ディスクの種別に対応するプログラムに従ってリコンフィギュアラブル回路内の複数の論理回路の構成を変更するとにより、光ディスクの種別に対応する変調・復調回路やエラー訂正回路を構築し、ハードウェア規模を増大することなく、複数種別の光ディスクに対応して異なる方式の変調・復調回路やエラー訂正回路を構築することが可能な情報記録再生装置が提案されている（特許文献４）。
【０００８】
また、あらゆる種類の光ディスクを、同一のＣＰＵまたは光ディスクコントローラで制御し、高性能で信頼性の高い光ディスク装置を提供するために、光ディスクの記録または再生に必要な情報を格納する書き換え可能なメモリと、光ディスクの種類とタイプとを判別する判別手段と、判別手段による判別結果に基づいて、光ディスクの制御情報が記録された領域を探索する探索手段と、探索手段によって探索された領域に記録された制御情報を再生する再生手段と、判別結果および再生手段によって再生された制御情報のうちの少なくとも一方に基づいて、メモリの配置を変更するメモリ制御手段を備えた、光ディスクコントローラが提案されている（特許文献５）。
【先行技術文献】
【特許文献】
【０００９】
【特許文献１】特開２００２−１４０８８７号公報
【特許文献２】特開２００５−１８８４９号公報
【特許文献３】特開２０００−６７４４１号公報
【特許文献４】特開２００７−１４１３１０号公報
【特許文献５】特開２００３−５１１５２号公報
【発明の概要】
【発明が解決しようとする課題】
【００１０】
光ディスク装置などの再生装置では、上記のように、音楽や映画などと言った大量のデータを記憶媒体から読み取る読取処理と、読み取ったデータを再生する再生処理とを行なうが、再生処理の処理速度は読取処理の処理速度に比べて遅いのが現状である。
すなわち、記憶媒体からデータを読み取る処理は迅速に行なうことが容易である一方、再生処理は、データの復号化などと言った複雑で時間を要する処理であり、しかも、音楽や映画などをスピーカやディスプレイに出力する速度に合わせて再生出力する必要もあることから、ある程度の時間をかけて行なうこととなる。
【００１１】
このため、再生装置には、再生処理すべきデータを一時的に記憶する一時記憶手段が設けられており、記憶媒体から読み取ったデータを一時記憶手段へ転送して記憶させ、この一時記憶手段に記憶されたデータを順次読み出して再生処理している。
【００１２】
本発明は、再生装置が対応できる記憶媒体の種類が増えることにより、一時記憶手段へのデータ転送においてもノイズが発生するという事象に着目してなされた。
すなわち、従来では一時記憶手段へのデータ転送速度は一定とされているが、例えばＣＤとＤＶＤとから読み取られるデータ量に大きな差があると言ったように、記憶媒体から読み取られたデータ量が少ない場合には、図３（ａ）の左図に示すように、データの塊が間欠的（例えば、１秒間隔）に一時記憶手段へ転送される状態となる。
したがって、このようにデータが間欠的に転送されることで、瞬間的に大きな電流が繰り返し流れ、これによって、強い電波がノイズとして発生する。
【００１３】
しかしながら、従来では、上記の事象を課題とした発明はなされておらず、一時記憶手段へのデータ転送に係るノイズに有効に対処する技術はなかった。
なお、常套手段として、ノイズ発生部をシールド板で覆うと言った方法が考えられるが、この方法にあっては、部品点数の増加による、装置の大型化、構造の複雑化、製品コストの増加を招き、有効な対処方法とはいえない。
【００１４】
本発明は、上記従来の事情に鑑みなされたものであり、一時記憶手段へのデータ転送においてノイズの発生を抑制或いは防止した再生装置を実現することを目的としている。
【課題を解決するための手段】
【００１５】
本発明は、上記目的を達成するために再生装置に採用される転送制御装置として実現される。
すなわち、本発明に係る転送制御装置は、記憶媒体から読み取られたデータを一時記憶手段へ転送する転送制御装置であって、データを読み取る記憶媒体の種類を判定する判定手段と、記憶媒体から読み取ったデータを一時記憶手段へ転送するデータ転送手段と、判定手段が判定した記憶媒体の種類に応じて、データ転送手段によるデータ転送速度を切替えてデータ転送を平準化する転送速度切替手段と、を備える。
【００１６】
本発明に係る転送制御装置によると、判定手段が記憶媒体の種類を判定し、この判定した記憶媒体の種類に応じて、転送速度切替手段が、記憶媒体から読み取ったデータを一時記憶手段へ転送するデータ転送手段のデータ転送速度を切替えて、一時記憶手段へのデータ転送を平準化する。
【００１７】
例えば、ＤＶＤからＣＤに記憶媒体が変更された場合のように、転送すべきデータの量が少なくなった場合に、ＤＶＤの時のようにデータ転送速度が大きいままであると、上記のようにデータの塊が間欠的に一時記憶手段へ転送される状態となってしまうが、データ転送速度を小さくすることにより、当該データは時間経過に沿って常にある量が伝送される平準化された状態となる。したがって、一時記憶手段へのデータ転送が平準化されることにより、データが間欠的に転送されて瞬間的に大きな電流が繰り返し流れることによるノイズの発生が抑制或いは防止される。
【００１８】
ここに、データ転送量が時間の経過に沿って常に一定でなくとも、データ転送量が時間の経過に沿ってなだらかに変化する（鋭い変化がないようにデータ転送量が変化する）ようにすれば、データ転送によるノイズの発生を抑制或いは防止することができる。
したがって、本発明における平準化の意味は、データ転送量が時間の経過に沿ってなだらかに変化する態様も含むものであり、このような変化を呈するようにデータ転送速度を切替えればよい。
【００１９】
なお、例えば、記憶媒体のデータ記憶容量が大きくなる（小さくなると）と当該記憶媒体から読み出されたデータも大量（少量）となるということもできるので、記憶媒体の種類に応じて切替えるデータ転送速度は、記憶媒体のデータ記憶容量が大きくなると（小さくなると）データ転送速度が大きくなる（小さくなる）ようにしてもよい。
また、このようなデータ記憶容量とは別に、記憶媒体の種類毎にデータ読出し方式や読み出し速度が規定されているので、記憶媒体の種類毎に規定された読み出し速度に応じてデータ転送速度を切替えて、平準化してもよい。
【００２０】
また、本発明は、上記目的を達成するための再生装置として実現される。
すなわち、本発明に係る再生装置は、記憶媒体に記憶されたデータを読み取って再生処理を行なう再生装置であって、記憶媒体からデータを読み取る読取手段と、読取手段がデータを読み取る記憶媒体の種類を判定する判定手段と、記憶媒体から読み取ったデータを一時記憶手段へ転送するデータ転送手段と、判定手段が判定した記憶媒体の種類に応じて、記憶媒体の種類に対応して予め設定された転送速度に、データ転送手段によるデータ転送速度を切替える転送速度切替手段と、を備えている。
【００２１】
したがって、本発明に係る再生装置によると、データ転送手段による一時記憶手段へのデータ転送が、記憶媒体の種類に対応して予め設定された転送速度でなされることにより、上記の転送制御装置と同様に、一時記憶手段へのデータ転送が平準化されて、データが間欠的に転送されて瞬間的に大きな電流が繰り返し流れることによるノイズの発生が抑制或いは防止される。
【００２２】
ここに、本発明に係る再生装置では、記憶媒体の種類に対応して予め設定された転送速度として、記憶媒体のデータ記憶容量が小さくなるとデータ転送速度が小さくなるように設定しておく他、記憶媒体のデータ記憶容量が大きくなるとデータ転送速度が大きくなるように設定しておくことができる。
これにより、例えば、上記とは逆に、ＣＤからＤＶＤに記憶媒体が変更された場合のように、転送すべきデータの量が多くなった場合に、ＣＤの時のようにデータ転送速度が小さいままであると、一時記憶手段へのデータ転送が遅れて、その後の再生処理に支障を来してしまう場合もあるが、データ転送速度を大きくすることにより、ＤＶＤから読み取ったデータを迅速に一時記憶手段へ転送することができる。
【００２３】
また、本発明に係る再生装置では、記憶媒体の種類毎に規定されたデータ読取方式や速度に応じて、一時記憶手段へのデータ転送速度を予め設定しておき、これによって、データ転送におけるノイズ発生を抑制或いは防止するようにしてもよい。
【００２４】
また、本発明に係る再生装置では、読取装置が、記憶媒体の種類に応じて複数設けられている構成とすることができる。
例えば、記憶媒体毎に別個な読取手段を備えた構成とすることで、いずれの読取手段が起動されたかによって、判定手段がデータを読み取る記憶媒体の種類を判定するようにすることもできる。
【００２５】
また、本発明に係る再生装置では、判定手段が、使用者による操作入力に基づいて、読取手段がデータを読み取る記憶媒体の種類を判定する構成とすることができる。
例えば、再生装置に既に装填されている記憶媒体（ハードディスク装置やメモリカードなど）を、使用者が操作入力で指定して当該記憶媒体のデータを再生することができるように再生装置を構成した場合、当該操作入力により判定手段がデータを読み取る記憶媒体の種類を判定することができる。
【００２６】
また、本発明に係る再生装置では、読取手段が、記憶媒体である光ディスクから光学的にデータを読み取る光ピックアップであり、判定手段が、光学ピックアップを変更することに基づいて、光ディスクの種類を判定する構成とすることができる。
例えば、ＢＤ用とＤＶＤ用とにそれぞれ光ピックアップを備えたディスクローダ（読取手段）を、ＢＤからの読み取りとＤＶＤからの読み取りに兼用する再生装置では、ディスクローダが光学ピックアップを変更したことにより、ＢＤかＤＶＤかを判定することができる。
【００２７】
本発明は、ブルーレイディスク（ＢＤ）、デジタルビデオディスク（ＤＶＤ）、コンパクトディスク（ＣＤ）、メモリカード、ハードディスク装置（ＨＤＤ）などと言った様々な記憶媒体について、少なくとも２種類の記憶媒体を再生可能な再生装置として構成される。
また、本発明に係る再生装置は、記憶媒体に音楽や映像などのデータを記録する機能も備えた記録再生装置として構成してもよい。
また、本発明に係る転送制御装置及び再生装置の各機能手段は、プロセッサやメモリなどのコンピュータハードウエアによりプログラムを実行することで構成するようにしてもよく、或いは、電気回路によるハードウエア装置として構成するようにしてもよい。
【発明の効果】
【００２８】
本発明によれば、転送するデータ量に応じた速度で一時記憶手段へデータ転送するようにしたため、データ転送におけるノイズの発生を抑制或いは防止することができる。
したがって、シールド板を設ける必要をなくすことができるため、再生装置の大型化、構造の複雑化、製品コストの増加を招くことなく、ノイズの発生による障害を防止した再生装置を提供することができる。
【図面の簡単な説明】
【００２９】
【図１】本発明の一実施形態に係る再生装置の外観を示す図である。
【図２】本発明の一実施形態に係る再生装置の要部の構成を説明する図である。
【図３】本発明の一実施形態に係るデータ転送状態を説明する図である。
【図４】本発明の一実施形態に係るデータ転送速度の切替を説明する図である。
【発明を実施するための形態】
【００３０】
本発明を、図に示す一実施形態に基づいて具体的に説明する。
図１に示すように、本実施形態に係る再生装置１は、テレビジョン受像機２に接続され、テレビジョン受像機２のディスプレイやスピーカを利用して、再生した映像や音楽を出力する。
【００３１】
再生装置１には、ＢＤ、ＤＶＤ、ＣＤといった光ディスク３を装填するディスクローダ（読取手段）４、ＳＤメモリカード５を装填するカードリーダ（読取手段）６、使用者からの操作入力を受け付けるボタン類（操作部）７が設けられている。なお、再生装置１には、ＨＤＤ装置も接続可能である。
すなわち、再生装置１には、ＢＤ、ＤＶＤ、ＣＤといった３種類の記憶媒体３に共用される読取手段４と、記憶媒体（ＳＤメモリカード）に用いられる読取手段６が備えられている。なお、ＨＤＤ装置が接続される場合には、ＨＤＤ装置から出力されるデータを取り込むインタフェースが読取手段として再生装置１に備えられる。
【００３２】
図２には、記録媒体からデータを読み取って再生処理を行なうために、再生装置１に備えられる機能構成を示してある。
再生装置１は、データの読取処理や再生処理を制御する処理部１０、処理部の一時記憶メモリとして用いられるＤＤＲＲＡＭ（Double Data Rate Random Access Memory）２０、データの復号化処理を行なうデコーダ３０を備えている。
【００３３】
処理部１０は、MA IN ICと称せられる半導体装置で構成されており、フロントエンド部（ＦＥ）として、データの読取制御に係る読取制御部１１を有し、バックエンド部（ＢＥ）として、データの再生制御に係る再生制御部１２を有している。
読取制御部１１は、読取手段４、６に記憶媒体３、５が装填されたことに応じ、当該読取手段を制御して記憶媒体に記録されている音楽や映像などのデジタルデータを読み取らせる制御を行なうものであり、この制御において、デジタルデータを読み取った記憶媒体の種類を判定する種別判定部１３を有している。
【００３４】
ディスクローダ４が、例えば、ＢＤであれば青色レーザの光ピックアップ、ＤＶＤであれば赤色レーザの光ピックアップ、ＣＤであれば近赤外線レーザの光ピックアップと言ったように、装填された光ディスク３に応じて光ピックアップを変更することを利用して、種別判定部１３は、ディスクローダ４から使用する光ピックアップの種類を示す信号を受信することにより、データを読み取る光ディスクの種類を判定する。
なお、種別判定部１３がデータを読み取る光ディスクの種類を判定する方法は、特に限定されるものではなく、例えば、使用者が操作部（ボタン類）７からディスクローダ４に装填した光ディスクの種類を指示する入力をしたことに基づいて、種別判定部１３がデータを読み取る光ディスクの種類を判定するようにしてもよい。
【００３５】
また、種別判定部１３は、ＳＤメモリカード専用に設けられた読取手段６にＳＤメモリカード５が装填されたことによって、データを読み取る記録媒体の種類を判定するようにしてもよいが、本実施形態では、使用者が操作部（ボタン類）７から入力した操作によって、データを読み取る記録媒体がＳＤメモリカードであることを判定する。
これにより、音楽などを記憶したＳＤメモリカード５は再生装置１に装填したままとしておき、使用者が好みの時に操作入力をしてＳＤメモリカード５のデータを再生することができる。
【００３６】
再生制御部１２は、データ転送部１４と転送速度切替部１５とを有しており、記憶媒体３、５から読み取ったデータをデコーダ３０へ出力する制御を、メモリ２０への一時記憶を利用して行なう。
データ転送部１４は、記憶媒体３、６から読み取ったデータをメモリ２０へ出力して記憶させ、また、メモリ２０に記憶されたデータを読み出す処理を行ない、この出力や読み出しに係るデータ転送の速度を、転送速度切替部１５からの指示に応じて複数段に切替えることができる。
【００３７】
転送速度切替部１５は、種別判定部１３から入力される種別信号に基づいて、読取手段４、６がデータを読み取った記憶媒体３、５の種類に応じて予め設定されたデータ転送速度をデータ転送部１４へ指示する信号を出力する。
本実施形態の転送速度切替部１５には、メモリ２０とのデータ転送において時間経過に伴うデータ転送量が平準化されるように、記憶媒体の種類に対応したデータ転送速度が予め設定されており、転送速度切替部１５は、判定された記憶媒体の種類に応じたデータ転送速度を切替える指示をデータ転送部１４に出力する。
【００３８】
より具体的には、本実施形態の転送速度切替部１５には、記憶媒体のデータ記憶容量が小さくなると（大きくなると）データ転送速度が小さくなる（大きくなる）ように、また、記憶媒体からのデータ読出し速度が小さくなると（大きくなると）データ転送速度が小さくなる（大きくなる）ように設定されており、これらの観点から、メモリ２０とのデータ転送が平準化されるように予め設計された転送速度が予め設定されている。
【００３９】
ここで、上記再生装置１の構成において、種別判定部１３、データ転送部１４、転送速度切替部１５を備える処理部１０は、記憶媒体から読み取られたデータをメモリ２０へ転送する転送制御装置を構成している。
【００４０】
次に、上記構成の再生装置１による処理動作を説明する。
まず、読取手段４、６に記憶媒体３、５が装填されて、再生装置１による再生動作が開始されると、読取制御部１１の制御下で、記憶媒体が装填された読取手段が当該機億媒体に記憶されたデジタルデータを読み取り、また、種別判定部１３が当該記憶媒体の種別を判定する。
【００４１】
そして、判定された記憶媒体の種類は転送速度切替部１５に送られて、転送速度切替部１５が当該種類に対応した転送速度をデータ転送部１４に指示し、また、読み取られたデジタルデータはデータ転送部１４に送られて、データ転送部１４がデータ転送部１４から指示された転送速度で当該デジタルデータをメモリ２０に転送して記憶させる。
そして、デコーダ３０の復号化処理等に応じて、メモリ２０に記憶させたデジタルデータを読み出してデーコーダ３０に出力し、デコーダ３０で復号化された音楽や映像がテレビジョン受像機２から出力される。
【００４２】
上記転送速度切替部１５による転送速度の指定は、図４に示すように行なう。
転送速度切替部１５は、まず、判定結果により記憶媒体の再生モード（すなわち、種類）を確認し（ステップＳ１）、ＣＤからデジタルデータを読み取って再生するモードの場合には設定Ａのデータ転送速度をデータ転送部１４に指示し（ステップＳ２）、ＳＤメモリカードからデジタルデータを読み取って再生するモードの場合には設定Ｂのデータ転送速度をデータ転送部１４に指示し（ステップＳ３）、ＢＤ又はＤＶＤからデジタルデータを読み取って再生するモードの場合には設定Ｃのデータ転送速度をデータ転送部１４に指示する（ステップＳ４）。
【００４３】
この設定によるデータ転送速度は、設定Ａ、設定Ｂ、設定Ｃの順に大きくなっており、例えば、ＣＤからデジタルデータを読み取って再生するモードのデータ転送速度（設定Ａ）は、ＢＤ又はＤＶＤからデジタルデータを読み取って再生するモードのデータ転送速度（設定Ｃ）より小さくなっている。
この結果、例えば、図３（ａ）の左部に示すように、ＣＤを再生する場合に、ＢＤ又はＤＶＤを再生する時のようにデータ転送速度が大きい（設定Ｃ）と、メモリ２０へデジタルデータが間欠的に転送されてノイズを発生するが、ＣＤから読み取ったデータを転送するに適した転送速度に切替えられるため、図３（ａ）の右部に示すように、デジタルデータが量的に大きな変化を呈することなくメモリ２０へ転送され、ノイズを発生することがない。
【００４４】
また、ＢＤ又はＤＶＤを再生する場合には、上記と同様にして、データ転送部１４のデータ転送速度はＢＤ又はＤＶＤから読み取ったデジタルデータを転送するに適した設定Ｃに切替えられるため、図３（ｂ）に示すように、比較的大きな速度で、且つ、量的に大きな変化を呈することなくメモリ２０へ転送され、ノイズを発生することがない。
【符号の説明】
【００４５】
１：再生装置、  ２：テレビジョン受像機、
３：光ディスク（記憶媒体）、  ４：ディスクローダ（読取手段）、
５：ＳＤメモリカード（記憶媒体）、  ６：カードリーダ（読取手段）、
７：操作ボタン類（操作部）、  １０：処理部（転送制御装置）、
１３：種別判定部、  １４：データ転送部、
１５：転送速度切替部、  ２０：メモリ（一時記憶手段）、
３０：デコーダ、
【図１】
2013016221.tif 000003
【図２】
2013016221.tif 000004
【図３】
2013016221.tif 000005
【図４】
2013016221.tif 000006